(57)【要約】【課題】電気光学装置において、データ電圧のバラツキによる表示ムラを低減し、高品質な画像を表示可能とする。【解決手段】電気光学装置は、複数の出力回路４１ｆ１〜４１ｆｉを出力回路群４１Ｆ１〜４１Ｆｉの各々毎に、例えば一の出力回路群４１Ｆ１では、出力回路４１ｆ１及び４１ｆ２の各々で相互に対応するデータ線Ｘが入れ換わるように、出力回路４１ｆ１〜４１ｆｉのデータ線Ｘに対する電気的接続を周期的に切り換える切換手段４１Ｈを備える。【選択図】図６
2009192893.tif 000002
【特許請求の範囲】
【請求項１】
基板と、
該基板上に第１方向及び該第１方向に交わる第２方向に沿って配列された複数の画素部と、
前記基板上に前記第１方向に沿って設けられた複数のデータ線と、
前記複数の画素部に対して前記複数のデータ線を介してデータ電圧を出力する複数の出力回路と、
該複数の出力回路のうち２以上の出力回路を一群とする出力回路群毎に、該出力回路群に属する出力回路の各々で相互に対応する前記データ線が入れ換わるように、前記出力回路群に属する出力回路の各々の、前記出力回路群に対応する前記データ線の各々に対する電気的接続を周期的に切り換える切換手段と
を備えることを特徴とする電気光学装置。
【請求項２】
前記切換手段は、前記電気的接続の切換えを１水平期間毎に行うことを特徴とする請求項１に記載の電気光学装置。
【請求項３】
前記切換手段は、前記電気的接続の切換えを１フレーム期間毎に行うことを特徴とする請求項１に記載の電気光学装置。
【請求項４】
前記切換手段は、前記出力回路群に属する出力回路の数だけ前記出力回路毎に設けられ、各々が前記出力回路群における相異なる出力回路に電気的に接続されると共に同一の前記データ線に電気的に接続された切換スイッチを一群とする切換スイッチ群を有しており、
該切換スイッチ群のいずれかの切換スイッチを選択する複数の切換信号が前記切換スイッチ群に入力されると共に、相異なる前記切換信号に応じて前記切換スイッチにより相異なる前記出力回路が交互に前記データ線に電気的に接続され、
前記出力回路群に対応する前記切換スイッチ群の各々では、同一の前記切換信号に基づいて互いに異なる前記出力回路が前記切換スイッチにより選択される
ことを特徴とする請求項１から３のいずれか一項に記載の電気光学装置。
【請求項５】
前記出力回路を介して、前記データ電圧として前記複数のデータ線のうち２以上の前記データ線を１群とするデータ線群毎に駆動するための時系列的な電圧が供給されると共に、該時系列的なデータ電圧を時分割し、該時分割することにより得られた前記画素部の階調を規定する前記データ電圧を、前記データ線群をなす前記データ線のいずれかに振り分ける時分割回路を備え、
前記時分割回路には、前記出力回路群のうち相異なる前記出力回路から、前記切換手段を介して周期的に交互に前記データ電圧が供給されると共に、前記出力回路群に対応する前記時分割回路の各々は前記切換手段を介して互いに異なる前記出力回路と電気的に接続される
ことを特徴とする請求項１から４のいずれか一項に記載の電気光学装置。
【請求項６】
前記複数の出力回路の各々を介して、前記データ電圧として前記複数のデータ線のうち２以上のデータ線を１群とするデータ線群毎に順次に駆動するため、該データ線群に属するデータ線の各々に対応する複数のデータ電圧が夫々時系列的な電圧として供給される複数の画像信号線と、
該複数の画像信号線に供給される前記複数の時系列的なデータ電圧を夫々時分割し、該時分割することにより得られた前記データ線群に対応する前記画素部の各々の階調を規定する複数の前記データ電圧を、前記データ線群に属する前記データ線に一斉に供給するサンプリング回路と
を備え、
前記複数の画像信号線は夫々、前記出力回路群のうち相異なる出力回路から、前記切換手段を介して周期的に交互に前記データ電圧が供給されると共に、前記出力回路群に対応する前記画像信号線の各々は前記切換手段を介して互いに異なる前記出力回路と電気的に接続される
ことを特徴とする請求項１から４のいずれか一項に記載の電気光学装置。
【請求項７】
請求項１から６のいずれか一項に記載の電気光学装置を具備してなることを特徴とする電子機器。
【請求項８】
基板と、該基板上に第１方向及び該第１方向に交わる第２方向に沿って配列された複数の画素部と、前記基板上に前記第１方向に沿って設けられた複数のデータ線と、前記複数の画素部に対して前記複数のデータ線を介してデータ電圧を出力する複数の出力回路とを備える電気光学装置の駆動方法であって、
前記複数の出力回路のうち２以上の出力回路を一群とする出力回路群毎に、該出力回路群に属する出力回路の各々で相互に対応する前記データ線が入れ換わるように、前記出力回路群に属する出力回路の各々の、前記出力回路群に対応する前記データ線の各々に対する電気的接続を周期的に切り換える工程を備えることを特徴とする電気光学装置の駆動方法。
【請求項９】
基板と、該基板上に第１方向及び該第１方向に交わる第２方向に沿って配列された複数の画素部と、前記基板上に前記第１方向に沿って設けられた複数のデータ線とを備える電気光学装置を駆動するための駆動回路であって、
前記複数の画素部に対して前記複数のデータ線を介してデータ電圧を出力する複数の出力回路と、
該複数の出力回路のうち２以上の出力回路を一群とする出力回路群毎に、該出力回路群に属する出力回路の各々で相互に対応する前記データ線が入れ換わるように、前記出力回路群に属する出力回路の、前記出力回路群に対応する前記データ線の各々に対する電気的接続を周期的に切り換える切換手段と
を備えることを特徴とする電気光学用駆動回路。
【発明の詳細な説明】
【技術分野】
【０００１】
本発明は、例えば液晶表示装置等の電気光学装置及びその駆動方法、該電気光学装置を駆動するための電気光学装置用駆動回路、並びに液晶プロジェクタ等の電子機器の技術分野に関する。
【背景技術】
【０００２】
この種の電気光学装置として、例えば、画素領域における表示動作などの電気光学動作を行う電気光学パネルと、これを駆動するための駆動回路の少なくとも一部を担う駆動用集積回路が実装されたフレキシブル基板とから構成される電気光学装置がある。このように構成された電気光学装置では、制御回路の一部を電気光学パネルから切り離すことで、電気光学パネルの小型化や、電気光学パネルのサイズに対する画素領域の拡大等を可能としている。
【０００３】
例えば特許文献１では、電気光学パネルの駆動用集積回路を、ＣＯＦ（Chip On Film）等の実装技術によりフレキシブル基板上に設け、電気光学パネルに順次データ電圧を出力するという技術が開示されている。
【０００４】
【特許文献１】特開２００５−４３４１７号公報
【発明の開示】
【発明が解決しようとする課題】
【０００５】
しかしながら、上述した技術のように、駆動用集積回路から出力されるデータ電圧によって電気光学パネルを駆動する際には、駆動用集積回路に含まれる複数の出力アンプから出力されるデータ電圧に出力アンプ毎のバラツキが生じてしまう。このようなデータ電圧のバラツキは、例えば表示される画像における縦方向の輝度ムラの原因となるおそれがある。尚、このような輝度ムラは、出力アンプが駆動用集積回路外の電気光学装置内の内蔵回路に設けられる場合も同様に発生し得る。従って、上述した技術においては、データ電圧のバラツキによって、画質が低下してしまうおそれがあるという技術的問題点がある。
【０００６】
本発明は、例えば上述した問題点に鑑みなされたものであり、データ電圧のバラツキによる表示ムラを低減し、高品質な画像を表示可能とする電気光学装置及びその駆動方法、及び該電気光学装置を駆動するための電気光学装置用駆動回路、並びに電子機器を提供することを課題とする。
【課題を解決するための手段】
【０００７】
本発明の電気光学装置は上記課題を解決するために、基板と、該基板上に第１方向及び該第１方向に交わる第２方向に沿って配列された複数の画素部と、前記基板上に前記第１方向に沿って設けられた複数のデータ線と、前記複数の画素部に対して前記複数のデータ線を介してデータ電圧を出力する複数の出力回路と、該複数の出力回路のうち２以上の出力回路を一群とする出力回路群毎に、該出力回路群に属する出力回路の各々で相互に対応する前記データ線が入れ換わるように、前記出力回路群に属する出力回路の各々の、前記出力回路群に対応する前記データ線の各々に対する電気的接続を周期的に切り換える切換手段とを備える。
【０００８】
本発明の電気光学装置によれば、その動作時に、先ず出力回路から、複数のデータ線を介してデータ電圧が出力される。尚、「データ電圧」とは、画像を表示するためのデータを有する電圧を意味している。即ち、ここでのデータ電圧は、画像信号と呼ぶこともできる。出力回路は、例えばオペアンプ等の増幅回路であり、データ電圧を増幅しつつ出力する。出力回路は、典型的には、集積回路の一部として形成されており、画素部が配列される基板に電気的に接続された、フレキシブル基板上に配置される。尚、画素部が配列される基板上に配置されてもよい。
【０００９】
複数のデータ線に出力されたデータ電圧は、基板上に配列された複数の画素部に供給される。データ電圧は、例えばデータ線と交差して同一基板上に配線される走査線（第２方向に沿う配線）から供給される走査信号に対応して複数の画素部に供給される。これにより、所謂アクティブマトリクス方式による画像表示が行われる。尚、画素部は、例えばＩＴＯ（Indium Tin Oxide）等の透明導電材料からなる透明電極を含んでおり、データ線に沿った第１方向と、第１方向に交わる第２方向に沿って配列されている。即ち、複数の画素部は、基板上にマトリクス状に配列されている。
【００１０】
本発明の電気光学装置では、基板上の複数の出力回路の各々のデータ線への電気的接続の切換を行うための切換手段が設けられる。切換手段によれば、複数の出力回路について、出力回路群毎にこれに対応するデータ線の各々への電気的接続の切換えが行われる。より具体的には、切換手段は、出力回路群に属する出力回路の各々で周期的に相互に対応するデータ線が入れ換わるように、各出力回路のデータ線への電気的接続を切り換える。従って、出力回路群に対応するデータ線の各々では周期的に相異なる出力回路からデータ電圧が供給される。
【００１１】
ここに、複数の出力回路から出力されたデータ電圧には、例えば各出力回路での互いの増幅率の微差によりバラツキが生じ得る。よって、例えば同一のデータ電圧が出力された場合であっても、相異なる出力回路から出力されたデータ電圧であれば、互いにズレが生じることがある。ここで仮に、一の画素列に対して１つの出力回路のみでデータ電圧を供給すると、画素列毎に供給されるデータ電圧にバラツキが生じる。即ち、画素列毎に輝度差が生じる。よって、表示される画像には、データ線方向に伸びるライン状の表示ムラが生じてしまう。
【００１２】
本発明の電気光学装置では、周期的に、例えば１水平期間毎や１フレーム期間毎に出力回路群に属する出力回路の各々で対応するデータ線を入れ換えて、一の出力回路から出力されるデータ電圧を出力回路群に対応するデータ線の各々に分散させることができる。その結果、これらデータ線に対応する画素部に、出力回路群における出力回路の出力（データ電圧）の各々が分散されることとなる。例えば、１水平期間毎に切換手段により電気的接続の切換えを行った場合には、各データ線に沿って配列する画素部からなる画素列において、各画素部に出力回路群における出力回路の出力が分散される。或いは、例えば１フレーム期間毎に切換手段により電気的接続の切換えを行った場合には、各画素列に出力回路群における出力回路の出力が分散される。
【００１３】
従って、出力回路群における各出力回路でデータ電圧にバラツキが生じても、各々のデータ線間の輝度差に基づくライン状の表示ムラが、複数の画素部による表示画面上で顕著に視認されるのを抑制することができる。よって、本発明の電気光学装置によれば、データ電圧のバラツキによる表示ムラを低減することが可能となる。従って、高品質な画像を表示することが可能である。
【００１４】
本発明の電気光学装置の一態様では、前記切換手段は、前記電気的接続の切換えを１水平期間毎に行う。
【００１５】
この態様によれば、切換手段による電気的接続の切換により、出力回路群に属する出力回路の各々で１水平期間毎に相互に対応するデータ線が入れ換わる。従って、出力回路群に対応するデータ線の各々では、対応する出力回路が１水平期間毎に入れ換わり、これらデータ線に対応する画素列の各々では、各画素部に出力回路群における出力回路の出力（データ電圧）が分散される。よって、出力回路群における各出力回路のデータ電圧のバラツキに起因して、データ線の延在方向（第１方向）に沿ってライン状の表示ムラが、表示画面上で顕著に視認されるのを抑制することができる。
【００１６】
本発明の電気光学装置の他の態様では、前記切換手段は、前記電気的接続の切換えを１フレーム期間毎に行う。
【００１７】
この態様によれば、切換手段による電気的接続の切換により、出力回路群に属する出力回路の各々で１フレーム期間毎に相互に対応するデータ線が入れ換わる。従って、出力回路群に対応するデータ線の各々では、対応する出力回路が１フレーム期間毎に入れ換わり、これらデータ線に対応する画素列の各々に、出力回路群における出力回路の出力（即ち、データ電圧）が分散される。よって、出力回路群における各出力回路のデータ電圧のバラツキに起因して、データ線の延在方向（即ち、第１方向）に沿ってライン状の表示ムラが、表示画面上で顕著に視認されるのを抑制することができる。
【００１８】
本発明の電気光学装置の他の態様では、前記切換手段は、前記出力回路群に属する出力回路の数だけ前記出力回路毎に設けられ、各々が前記出力回路群における相異なる出力回路に電気的に接続されると共に同一の前記データ線に電気的に接続された切換スイッチを一群とする切換スイッチ群を有しており、該切換スイッチ群のいずれかの前記切換スイッチを選択する複数の切換信号が前記切換スイッチ群に入力されると共に、相異なる前記切換信号に応じて前記切換スイッチにより相異なる前記出力回路が交互に前記データ線に電気的に接続され、前記出力回路群に対応する前記切換スイッチ群の各々では、同一の前記切換信号に基づいて互いに異なる前記出力回路が前記切換スイッチにより選択される。
【００１９】
この態様によれば、切換手段は、出力回路群の各出力回路に対して設けられた切換スイッチ群を有する。切換スイッチ群は、一の出力回路に対して、出力回路群に属する出力回路の数だけ設けられた切換スイッチからなる。切換スイッチ群に属する切換スイッチは夫々互いに、出力回路群の相異なる出力回路に電気的に接続される。
【００２０】
切換スイッチ群には複数の切換信号が入力され、一の切換信号に応じて一の切換スイッチが選択される。従って、切換スイッチ群における相異なる切換スイッチは相異なる切換信号に基づき選択され、出力回路群における相異なる出力回路が交互にデータ線に電気的に接続される。ここに、同一の切換スイッチ群に属する切換スイッチの各々は同一のデータ線に電気的に接続される。従って、切換スイッチ群に対応するデータ線では、これに対応する出力回路群において切換信号に基づいて周期的に相異なる出力回路からデータ電圧が供給される。
【００２１】
また、この態様では、同一の切換信号によって、出力回路群に対応する切換スイッチ群では夫々互いに、この出力回路群における相異なる出力回路が選択される。従って、同一の切換信号の供給期間においては、相異なる出力回路では相互に異なるデータ線に電気的に接続される。その結果、この態様では相異なる切換信号に基づいて、出力回路群に属する出力回路の各々で相互に切換スイッチ群により対応するデータ線を入れ換えることが可能となる。
【００２２】
即ち、この態様では、複数の切換信号の各々を周期的に交互に供給することで、出力回路群における各出力回路について、対応するデータ線を切換スイッチ群に属する切換スイッチにより容易に入れ換えることが可能となる。加えて、切換スイッチは、例えばＰチャネル型又はＮチャネル型の片チャネル型ＴＦＴ若しくは相補型のＴＦＴから構成することが可能であり、切換手段の構成を簡易にすることができるため、集積回路を容易に微細化し小型化することができる等の効果も期待できる。
【００２３】
本発明の電気光学装置の他の態様では、前記出力回路を介して、前記データ電圧として前記複数のデータ線のうち２以上の前記データ線を１群とするデータ線群毎に駆動するための時系列的な電圧が供給されると共に、該時系列的なデータ電圧を時分割し、当該時分割することにより得られた前記画素部の階調を規定する前記データ電圧を、前記データ線群をなす前記データ線のいずれかに振り分ける時分割回路を備え、該時分割回路には、前記出力回路群のうち相異なる前記出力回路から、前記切換手段を介して周期的に交互に前記データ電圧が供給されると共に、前記出力回路群に対応する前記時分割回路の各々は前記切換手段を介して互いに異なる前記出力回路と電気的に接続される。
【００２４】
この態様によれば、複数のデータ線にはデータ線群毎に、時分割回路により出力回路を介して供給される時系列的なデータ電圧が時分割されて振り分けられる。よって、データ線群に属する各データ線は、時分割回路により時分割されたデータ電圧に基づいて順次に駆動され、対応する画素部にデータ電圧が供給される。
【００２５】
この態様では、各時分割回路には出力回路群のうち相異なる出力回路から周期的に交互に切換手段を介してデータ電圧が供給される。よって、データ線群に属するデータ線の各々に対して、出力回路群における相異なる出力回路から周期的に交互に出力されたデータ電圧が供給される。
【００２６】
一方、出力回路群に対応する時分割回路の各々では、出力回路群に属する出力回路のうち切換手段を介して互いに異なる出力回路からデータ電圧が供給される。即ち、出力回路群の出力回路から見れば、相異なる出力回路は相互に異なる時分割回路に電気的に接続され、相異なるデータ線群に電気的に接続される。
【００２７】
よって、この態様では、出力回路群に属する出力回路の各々で相互に対応するデータ線群を入れ換えることが可能となる。従って、出力回路群に対応するデータ線群に、各出力回路から出力されるデータ電圧を分散させることができる。
【００２８】
本発明の電気光学装置の他の態様では、前記複数の出力回路の各々を介して、前記データ電圧として前記複数のデータ線のうち２以上のデータ線を１群とするデータ線群毎に順次に駆動するため、該データ線群に属する前記データ線の各々に対応する複数のデータ電圧が夫々時系列的な電圧として供給される複数の画像信号線と、該複数の画像信号線に供給される前記複数の時系列的なデータ電圧を夫々時分割し、該時分割することにより得られた前記データ線群に対応する前記画素部の各々の階調を規定する複数の前記データ電圧を、前記データ線群に属するデータ線に一斉に供給するサンプリング回路とを備え、前記複数の画像信号線は夫々、前記出力回路群のうち相異なる出力回路から、前記切換手段を介して周期的に交互に前記データ電圧が供給されると共に、前記出力回路群に対応する前記画像信号線の各々は前記切換手段を介して互いに異なる前記出力回路と電気的に接続される。
【００２９】
この態様によれば、複数の画像信号線には夫々、各データ線群を順次に駆動するために出力回路を介して時系列的なデータ電圧が供給される。サンプリング回路は、複数の画像信号線の各々に供給された時系列的なデータ電圧を時分割し、各データ線群に時分割することにより得られたデータ電圧を順次に振り分けて供給する。各データ線群において、データ線群に属するデータ線の各々には一斉にサンプリング回路よりデータ電圧が供給され、対応する画素部に書き込まれる。
【００３０】
この態様では、複数の画像信号線には夫々、出力回路群のうち相異なる出力回路から周期的に交互に、切換手段を介してデータ電圧が供給される。よって、各データ線群において、データ線群に属するデータ線には夫々サンプリング回路を介して、出力回路群のうち相異なる出力回路から周期的に交互に出力されたデータ電圧が供給される。
【００３１】
一方、出力回路群に対応する画像信号線の各々は、切換手段を介して互いに異なる出力回路からデータ電圧が供給される。即ち、出力回路群の出力回路から見れば、相異なる出力回路は相互に異なる画像信号線に電気的に接続され、各データ線群において相異なるデータ線とサンプリング回路を介して電気的に接続される。
【００３２】
よって、この態様では、出力回路群に属する出力回路の各々で相互に、各データ線群について、データ線群に属するデータ線のうち対応するデータ線を入れ換えることができる。従って、各データ線群において、データ線群に属するデータ線のうち対応する各々に、出力回路群における各出力回路から出力されるデータ電圧を分散させることができる。
【００３３】
本発明の電子機器は上記課題を解決するために、上述した本発明の電気光学装置（但し、その各種態様も含む）を具備する。
【００３４】
本発明の電子機器によれば、上述した本発明に係る電気光学装置を具備してなるので、データ電圧のバラツキによる表示ムラを低減することができる。よって、高品質な表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置等も実現することも可能である。
【００３５】
本発明の電気光学装置の駆動方法は上記課題を解決するために、基板と、該基板上に第１方向及び該第１方向に交わる第２方向に沿って配列された複数の画素部と、前記基板上に前記第１方向に沿って設けられた複数のデータ線と、前記複数の画素部に対して前記複数のデータ線を介してデータ電圧を出力する複数の出力回路とを備える電気光学装置の駆動方法であって、前記複数の出力回路のうち２以上の出力回路を一群とする出力回路群毎に、該出力回路群に属する前記出力回路の各々で相互に対応する前記データ線が入れ換わるように、前記出力回路群に属する出力回路の各々の、前記出力回路群に対応する前記データ線の各々に対する電気的接続を周期的に切り換える工程を備える。
【００３６】
本発明の電気光学装置の駆動方法によれば、上述した本発明の電気光学装置と同様に、電気光学装置において、データ電圧のバラツキによる表示ムラを低減することが可能となる。
【００３７】
尚、本発明の電気光学装置の駆動方法においても、上述した本発明の電気光学装置における各種態様と同様の各種態様を採ることが可能である。
【００３８】
本発明の電気光学装置用駆動回路は上記課題を解決するために、基板と、該基板上に第１方向及び該第１方向に交わる第２方向に沿って配列された複数の画素部と、前記基板上に前記第１方向に沿って設けられた複数のデータ線とを備える電気光学装置を駆動するための駆動回路であって、前記複数の画素部に対して前記複数のデータ線を介してデータ電圧を出力する複数の出力回路と、該複数の出力回路のうち２以上の出力回路を一群とする出力回路群毎に、該出力回路群に属する出力回路の各々で相互に対応する前記データ線が入れ換わるように、前記出力回路群に属する出力回路の、前記出力回路群に対応する前記データ線の各々に対する電気的接続を周期的に切り換える切換手段とを備える。
【００３９】
本発明の電気光学装置用駆動回路によれば、上述した本発明の電気光学装置と同様に、電気光学装置において、データ電圧のバラツキによる表示ムラを低減することが可能となる。
【００４０】
尚、本発明の電気光学装置用駆動回路においても、上述した本発明の電気光学装置における各種態様と同様の各種態様を採ることが可能である。
【００４１】
本発明の作用及び他の利得は次に説明する実施するための最良の形態から明らかにされる。
【発明を実施するための最良の形態】
【００４２】
以下では、本発明の実施形態について図を参照しつつ説明する。
【００４３】
＜第１実施形態＞
先ず、第１実施形態に係る電気光学装置について、図を参照して説明する。尚、以下では、本発明の電気光学装置の一例である駆動回路内蔵型のＴＦＴ（Thin Film Transistor）アクティブマトリクス駆動方式の液晶装置を例にとる。
【００４４】
先ず、本実施形態に係る電気光学装置における電気光学パネルの構成について、図１及び図２を参照して説明する。ここに図１は、本実施形態に係る電気光学装置における電気光学パネルの構成を示す平面図であり、図２は、図１のＨ−Ｈ´線断面図である。
【００４５】
図１及び図２において、本実施形態に係る電気光学パネルでは、ＴＦＴアレイ基板１０と対向基板２０とが対向配置されている。ＴＦＴアレイ基板１０は、本発明の「基板」の一例であり、例えば石英基板、ガラス基板等の透明基板や、シリコン基板等である。対向基板２０は、例えば石英基板、ガラス基板等の透明基板である。ＴＦＴアレイ基板１０と対向基板２０との間に液晶層５０が封入されている。ＴＦＴアレイ基板１０と対向基板２０とは、複数の画素電極が設けられた画像表示領域１０ａの周囲に位置するシール領域に設けられたシール材５２により相互に接着されている。
【００４６】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバ或いはガラスビーズ等のギャップ材５６が散布されている。
【００４７】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４８】
周辺領域のうち、シール材５２が配置されたシール領域の外側に位置する領域には、時分割回路４２及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００４９】
ＴＦＴアレイ基板１０上には、対向基板２０の４つのコーナー部に対向する領域に、両基板間を上下導通材で電気的に接続するための上下導通端子１０６が配置されている。これらにより、ＴＦＴアレイ基板１０と対向基板２０との間で電気的な導通をとることができる。
【００５０】
図２において、ＴＦＴアレイ基板１０上には、画素スイッチング用のＴＦＴや走査線、データ線等の配線が形成された後の画素電極９ａ（図５においては、画素電極２２ａとして示されている）上に、配向膜１６が形成されている。画素電極９ａは、ＩＴＯ膜などの透明導電膜からなり、配向膜１６は、ポリイミド膜などの有機膜からなる。他方、対向基板２０上には、格子状又はストライプ状の遮光膜２３が形成された後に、その全面に亘って対向電極２１が設けられており、更には最上層部分に配向膜２２が形成されている。対向電極２１は、ＩＴＯ膜などの透明導電膜からなり、配向膜２２は、ポリイミド膜などの有機膜からなる。このように構成され、画素電極９ａと対向電極２１とが対面するように配置されたＴＦＴアレイ基板１０と対向基板２０との間には、液晶層５０が形成されている。液晶層５０は、例えば一種又は数種類のネマティック液晶を混合した液晶からなり、これら一対の配向膜間で所定の配向状態をとる。
【００５１】
尚、図１及び図２に示したＴＦＴアレイ基板１０上には、これらの時分割回路４２、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５２】
次に、本実施形態に係る電気光学装置の構成を概略的に、図３から図６を参照して説明する。ここに図３は、電気光学装置の全体構成を概略的に示す斜視図であり、図４は、本実施形態に係る電気光学装置の具体的構成を示す回路図である。また図５は、画素部の構成を示す回路図であり、図６は、ドライバＩＣの構成を示すブロック図である。
【００５３】
図３において、本実施形態に係る電気光学装置は、図１及び図２を参照して説明した電気光学パネルと、フレキシブル基板２００と、ドライバＩＣ４１とを備えて構成されている。
【００５４】
フレキシブル基板２００は、外部回路接続端子１０２を介して、電気光学パネルと電気的に接続されている。また、電気光学パネルと接続されない側の端部は、図示しない回路基板等に電気的に接続される。即ち、画像信号は、回路基板等からフレキシブル基板２００を介して電気光学パネルに供給される。
【００５５】
ドライバＩＣ４１は、電気光学パネル外におけるフレキシブル基板２００上に設けられおり、電気光学パネルに対する画像信号供給装置或いは回路とも呼べるものとして構築されている。加えて、ドライバＩＣ４１は、ガンマ補正、シリアル−パラレル変換等の補正処理を実行するように構成されてもよい。尚、ドライバＩＣ４１は、電気光学パネルに内蔵される回路或いは装置として構築されてもよく、そのような場合には、上述した時分割回路４２や走査線駆動回路１０４等を含んで構築されてもよい。この場合には、後述する本実施形態の主要な構成要素である、ドライバＩＣ４１の出力回路４１ｆ１〜４１ｆｉ（図６参照）や、切換手段４１Ｈ（図６参照）は、ＴＦＴアレイ基板１０上の内蔵回路内に作り込まれることとなる。ドライバＩＣ４１のより詳細な構成については後述する。
【００５６】
図４に示すように、電気光学パネルは、例えば、ＴＦＴ等のスイッチング素子によって液晶素子を駆動するアクティブマトリクス型の表示パネルである。電気光学パネルにおける画像表示領域１０ａには、ｍドット×ｎライン分の画素部２がマトリクス状（二次元平面的）に並んでいる。また、画像表示領域１０ａには、それぞれが行方向（即ち、Ｘ方向）に延在しているｎ本の走査線Ｙ１〜Ｙｎと、それぞれが列方向（即ち、Ｙ方向）に延在しているｍ本のデータ線Ｘ１〜Ｘｍとが設けられており、これらの交差に対応して画素部２が配置されている。尚、以下の説明において、画像表示領域１０ａ中のある画素部２を特定する場合、データ線Ｘの添字１〜ｍと走査線Ｙの添字１〜ｎとを用い、これらの交差（１〜ｍ，１〜ｎ）として表現するものとする。例えば、最も左上の画素２は（１，１）であり、最も右下の画素２は（ｍ，ｎ）となる。
【００５７】
図５には、１つの画素部２の構成の一例を示してある。画素部２は、スイッチング素子であるＴＦＴ２１、液晶容量２２及び蓄積容量２３によって構成されている。ＴＦＴ２１のソースは１本のデータ線Ｘに接続され、そのゲートは１本の走査線Ｙに接続されている。同一列に並んだ画素部２に関しては、それぞれのＴＦＴ２１のソースが同じデータ線Ｘに接続されている。また、同一行に並んだ画素２に関しては、それぞれのＴＦＴ２１のゲートが同じ走査線Ｙに接続されている。ＴＦＴ２１のドレインは、互いに電気的に並列に設けられた液晶容量２２と蓄積容量２３とに共通接続されている。液晶容量２２は、画素電極２２ａと、対向電極２２ｂと、これらの電極２２ａ及び２２ｂ間に挟持された液晶層とによって構成されている。蓄積容量２３は、画素電極２２ａと、図示しない共通容量電極との間に形成されており、電圧Ｖｃｓが供給される。この蓄積容量２３によって、液晶に蓄積される電荷のリークの影響が抑制される。一方、画素電極２２ａ側には、ＴＦＴ２１を介して、データ電圧等が印加され、この印加される電圧レベルに応じて、液晶容量２２と蓄積容量２３とが充放電される。これにより、画素電極２２ａと対向電極２２ｂとの間の電位差（即ち、液晶の印加電圧）に応じて、液晶層の透過率が設定され、画素部２の階調が設定される。
【００５８】
図４に戻り、画素部２の駆動は、液晶の長寿命化を図るべく、好ましくは所定の期間毎に電圧極性を反転させる交流化駆動によって行われる。電圧極性は、液晶層に作用する電界の向き、換言すれば、液晶層の印加電圧の正逆に基づいて定義される。本実施形態では、典型的には交流化駆動の一方式であるコモンＤＣ駆動、すなわち、対向電極２２ｂに印加される電圧Ｖｌｃｏｍと共通容量電極に印加される電圧Ｖｃｓとを一定に維持し、画素電極２２ａ側の極性を反転させる駆動方式を採用するものとする。
【００５９】
制御回路５は、図示しない上位装置より入力される垂直同期信号Ｖｓ、水平同期信号Ｈｓ、ドットクロック信号ＤＣＬＫ等の外部信号に基づいて、走査線駆動回路１０４、データ線駆動回路１０１及びフレームメモリ６を同期制御する。この同期制御の下、走査線駆動回路１０４及びデータ線駆動回路１０１は、互いに協働して画像表示領域１０ａにおける表示制御を行う。尚、本実施形態では、高速表示によってフリッカーの発生を抑制すべく、リフレッシュレート（即ち、垂直同期周波数）を通常の２倍に相当する１２０［Ｈｚ］に設定した倍速駆動を採用するものとする。この場合、垂直同期信号Ｖｓによって規定される１フレーム（即ち、１／６０［Ｓｅｃ］）は２つのフィールドで構成され、１フレームにおいて２回の線順次走査が行われることになる。
【００６０】
走査線駆動回路１０４は、シフトレジスタ、出力回路等を主体に構成されており、各走査線Ｙ１〜Ｙｎに走査信号ＳＥＬを出力する（後述する図８参照）ことで、１本の走査線Ｙが選択される期間に相当する１水平走査期間（以下「１Ｈ」という）毎に、走査線Ｙ１〜Ｙｎを順次選択していく。走査信号ＳＥＬ（図８参照）は、高電位レベル（以下「Ｈレベル」という）又は低電位レベル（以下「Ｌレベル」という）の２値的なレベルをとり、データの書込対象となる画素行に対応する走査線ＹはＨレベル、これ以外の走査線ＹはＬレベルにそれぞれ設定される。この走査信号ＳＥＬにより、データの書込対象となる画素行が順次選択され、画素部２に書き込まれたデータは１フィールドに亘って保持される。
【００６１】
フレームメモリ６は、画像表示領域１０ａにおける解像度に相当するｍ×ｎビットのメモリ空間を少なくとも有し、上位装置から入力される表示データをフレーム単位で格納・保持する。フレームメモリ６へのデータの書き込み、及び、フレームメモリ６からのデータの読み出しは、制御回路５によって制御される。ここで、画素部２の階調を規定する表示データＤは、一例として、Ｄ０〜Ｄ５の６ビットで構成される６４階調データである。フレームメモリ６より読み出された表示データＤは、６ビットのバスを介して、データ線駆動回路１０１にシリアルに転送される。
【００６２】
ここに、制御回路５及びフレームメモリ６は、図３に示すフレキシブル基板２００にドライバＩＣ４１と共に設けられるか、或いは、フレキシブル基板２００を介して電気光学パネルと電気的に接続される回路基板に作り込まれるようにしてもよい。或いは、制御回路５及びフレームメモリ６の少なくとも一部を電気光学パネルに内蔵するようにしてもよい。
【００６３】
フレームメモリ６の後段に設けられたデータ線駆動回路１０１は、走査線駆動回路１０４と協働して、データの書込対象となる画素行毎に供給すべきデータをデータ線Ｘ１〜Ｘｍに出力する。データ線駆動回路１０１は、図３に示すように電気光学パネル外に設けられたドライバＩＣ４１、及び図１又は図２に示すようにＴＦＴアレイ基板１０上に内蔵された時分割回路４２で構成されている。ドライバＩＣ４１のｉ本の出力ピンＰＩＮ１〜ＰＩＮｉには、出力線ＤＯ１〜ＤＯｉが電気的に接続されている。時分割回路４２は、製造コストの低減を図るべく、ポリシリコンＴＦＴ等によって表示パネルに一体形成されている。尚、その詳細な構成については図４においては簡略化して示してあるが、ドライバＩＣ４１のｉ本の出力ピンＰＩＮ１〜ＰＩＮｉは、これに対応する電気光学パネルの外部回路接続端子１０２（図１又は図２参照）を介して、典型的にはＴＦＴアレイ基板１０上に配線された出力線ＤＯ１〜ＤＯｉに電気的に接続されるものとする。
【００６４】
ドライバＩＣ４１は、今回データを書き込む画素行に対するデータの出力と、次回にデータを書き込む画素行に関するデータの点順次的なラッチ（即ち、保持）とを同時に行うと共に、時系列的な電圧（典型的にはデータ電圧）を出力可能なように構成されている。以下では、ドライバＩＣ４１の構成と動作について詳細に説明する。
【００６５】
図６において、ドライバＩＣ４１には、Ｘシフトレジスタ４１ａ、第１のラッチ回路４１ｂ、第２のラッチ回路４１ｃ、切替スイッチ群４１ｄ及びＤ／Ａ変換回路４１ｅといった主要な回路が内蔵されている。Ｘシフトレジスタ４１ａは、１Ｈの最初に供給されるスタート信号ＳＴをクロック信号ＣＬＸにしたがって転送し、ラッチ信号Ｓ１，Ｓ２，Ｓ３，…，ＳｍのいずれかをＨレベル、それ以外をＬレベルに設定する。第１のラッチ回路４１ｂは、ラッチ信号Ｓ１，Ｓ２，Ｓ３，…，Ｓｍの立ち下がり時において、シリアルデータとして供給されたｍ個の６ビットデータＤを順次ラッチする。第２のラッチ回路４１ｃは、第１のラッチ回路４１ｂにおいてラッチされたデータＤをラッチパルスＬＰの立ち下がり時において同時にラッチする。ラッチされたｍ個のデータＤは、次の１Ｈにおいて、デジタルデータであるデータ信号ｄ１〜ｄｍとして、第２のラッチ回路４１ｃよりパラレルに出力される。
【００６６】
データ信号ｄ１〜ｄｍは、一例として、４本のデータ線単位で設けられたｍ／４個（＝ｉ個）の切替スイッチ群４１ｄによって、４画素分の時系列的なデータとしてグループ化される。ここで、単一の切替スイッチ群４１ｄは、５つのスイッチのセットとして図示されているが、実際には、６ビット分のスイッチ群を５系統有している。同一系統中の６個のスイッチは常に同様に動作するので、以下、６個のスイッチを１つのスイッチとみなして説明する。かかる点は、切換スイッチ群４１ｄに対応して、時分割回路４２を構成する選択スイッチ（１系統が１つの選択スイッチ）についても同様である。
【００６７】
それぞれの切替スイッチ群４１ｄには、第２のラッチ回路４１ｃより出力された４画素分のデータ信号（例えば、ｄ１〜ｄ４）が入力される他、補正データｄａｍｄも入力される。この補正データｄａｍｄは、後述する補正電圧Ｖａｍｄの電圧レベルを規定するデジタルデータである。切替スイッチ群４１ｄを構成する５つのスイッチは、５つの制御信号ＣＮＴ１〜ＣＮＴ５のいずれかによって導通制御され、オフセットしたタイミングで択一的に順次オンしていく。これによって、１Ｈにおいて、補正データｄａｍｄと４画素分のデータ信号ｄ１〜ｄ４とのセットは、この順序（ｄａｍｄ，ｄ１，ｄ２，ｄ３，ｄ４の順）で時系列化され、切替スイッチ群４１ｄより時系列的に出力される。
【００６８】
このように出力された時系列的に構成されたデジタルデータは、Ｄ／Ａ（Digital to Analog）変換回路４１ｅによってＤ／Ａ変換され、各々が時系列的に構成されたアナログデータとして出力される。ここに、図６においてデータ信号ｄ１〜ｄｍの各々の４画素分を１グループとして、Ｄ／Ａ変換回路４１ｅからは各グループが、データ電圧Ｖｇ１、Ｖｇ２、Ｖｇ３、Ｖｇ４、・・・、Ｖｇｉ−１、Ｖｇｉに変換されて出力される。補正データｄａｍｄはアナログ化され、後述する図８に示す補正電圧Ｖａｍｄとして出力される。
【００６９】
図６において、ドライバＩＣ４１において、Ｄ／Ａ変換回路４１ｅから出力されたデータ電圧Ｖｇ１、Ｖｇ２、Ｖｇ３、Ｖｇ４、・・・、Ｖｇｉ−１、Ｖｇｉは夫々、出力回路４１ｆ１、４１ｆ２、４１ｆ３、４１ｆ４、・・・、４１ｆｉ−１、４１ｆｉの各々で増幅され、切換手段４１Ｈを介して出力ピンＰＩＮ１〜ＰＩＮｉから出力される。
【００７０】
図４に示したように、ドライバＩＣ４１の出力ピンＰＩＮ１〜ＰＩＮｉには、出力線ＤＯ１〜ＤＯｉのいずれかが接続されている。１本の出力線ＤＯには、互いに隣接する４本のデータ線Ｘを一群とするデータ線群が対応付けられており、出力線ＤＯとデータ線群との間には、時分割回路４２が出力線単位で設けられている。それぞれの時分割回路４２は、データ線群のデータ線Ｘの本数に相当する４個の選択スイッチを有しており、それぞれの選択スイッチは、制御回路５からの選択信号ＳＳ１〜ＳＳ４のいずれかによって導通制御される。選択信号ＳＳ１〜ＳＳ４は、同一のグループ内における選択スイッチのオン期間を規定しており、ドライバＩＣ４１からの時系列的な信号出力と同期している。ｉ個の時分割回路４２は、同様の構成を有しており、且つ、すべてが同時並行的に動作するものとする。
【００７１】
各時分割回路４２は、その詳細な動作については後述するが、選択信号ＳＳ１〜ＳＳ４に基づいて、出力回路４１ｆ１、４１ｆ２、４１ｆ３、４１ｆ４、・・・、４１ｆｉ−１、４１ｆｉの各々から切換手段４１Ｈを介して供給される補正電圧Ｖａｍｄ及びデータ電圧Ｖｇ１、Ｖｇ２、Ｖｇ３、Ｖｇ４、・・・、Ｖｇｉ−１、Ｖｇｉについて、補正電圧Ｖａｍｄ（図８参照）が供給されるとデータ線群に好ましくは一斉供給すると共に、データ電圧Ｖｇ１、Ｖｇ２、Ｖｇ３、Ｖｇ４、・・・、Ｖｇｉ−１、Ｖｇｉを夫々、時分割してデータ線群の各々のデータ線Ｘに振り分ける。
【００７２】
ここに、図６に加えて図７を参照して、ドライバＩＣ４１における切換手段４１Ｈの詳細な構成及びその動作について説明する。
【００７３】
切換手段４１Ｈは、複数の出力回路４１ｆ１〜４１ｆｉの各々と、データ線Ｘとの対応関係を、これら出力回路４１ｆ１〜４１ｆｉの各々のデータ線Ｘへの電気的接続の切換えを行うことで、周期的に入れ換え可能なように構成されている。切換手段４１Ｈによれば、複数の出力回路４１ｆ１〜４１ｆｉのうち、例えば図６に示すように、相隣接する２つの出力回路（例えば４１ｆ１及び４１ｆ２、或いは４１ｆ３及び４１ｆ４）を一群とする出力回路群４１Ｆ１〜４１Ｆｊの各々毎に、これに対応するデータ線Ｘの各々への電気的接続の切換えを周期的に行う。
【００７４】
より具体的には、切換手段４１Ｈは、各出力回路４１ｆ１〜４１ｆｉに対して設けられた、切換スイッチ群４１ｈを有する。これら切換スイッチ群４１ｈは好ましくは夫々互いに同様の構成を有しており、図６中、一の出力回路群４１Ｆ１に対応する２つの切換スイッチ群４１ｈに着目すれば、これら切換スイッチ群４１ｈの各々は、出力回路群４１Ｆ１に属する出力回路４１ｆ１及び４１ｆ２の数だけ、即ち２つの切換スイッチ４１ｈａ及び４１ｈｂを有する。切換スイッチ４１ｈａ及び４１ｈｂは夫々、例えばＰチャネル型又はＮチャネル型の片チャネル型ＴＦＴ若しくは相補型のＴＦＴから構成することが可能である。よって、本実施形態では、切換手段４１Ｈの構成を簡易にし、ドライバＩＣ４１を容易に微細化し、小型化すること等の効果が期待できる。
【００７５】
一の出力回路群４１Ｆ１に対応する各切換スイッチ群４１ｈについて、これに属する２つの切換スイッチ４１ｈａ及び４１ｈｂは夫々、出力回路群４１Ｆ１の相異なる出力回路４１ｆ１及び４１ｆ２の各々に電気的に接続される。また、同一の切換スイッチ群４１ｈにおいて、２つの切換スイッチ４１ｈａ及び４１ｈｂは同一の出力ピンＰＩＮ１又はＰＩＮ２に電気的に接続される。
【００７６】
切換スイッチ群４１ｈには、これに属する２つの切換スイッチ４１ｈａ及び４１ｈｂに対応する数、即ち２つの切換信号Ｓａ及びＳｂが図４に示す制御回路５から入力される。２つの切換信号Ｓａ及びＳｂは周期的に制御回路５から交互に入力され、一の切換信号Ｓａに応じて一の切換スイッチ４１ｈａが選択され、他の切換信号Ｓｂに応じて他の切換スイッチ４１ｈｂが選択される。即ち、切換スイッチ群４１ｈにおける相異なる切換スイッチ４１ｈａ及び４１ｈｂは相異なる切換信号Ｓａ及びＳｂに基づき周期的に選択され、出力回路群Ｆ１における相異なる出力回路４１ｆ１及び４１ｆ２が同一の出力ピンＰＩＮ１又はＰＩＮ２に周期的に交互に電気的に接続され、これに対応する出力線ＤＯ１又はＤＯ２を介して時分割回路４２に電気的に接続される。
【００７７】
従って、図４において、出力回路群Ｆ１から、これに対応する２つの時分割回路４２には夫々相異なる出力回路４１ｆ１及び４１ｆ２から周期的に交互にデータ電圧Ｖｇ１又はＶｇ２が供給される。よって、２つの時分割回路４２に対応するデータ線群に属するデータ線Ｘ１〜Ｘ４及びＸ５〜Ｘ８の各々に対して、出力回路群Ｆ１における相異なる出力回路４１ｆ１及び４１ｆ２から周期的に交互に出力されたデータ電圧Ｖｇ１又はＶｇ２が供給される。
【００７８】
一方、図６において、出力回路群Ｆ１に対応する切換スイッチ群４１ｈでは夫々互いに、一の切換信号Ｓａ又はＳｂに応じて出力回路群Ｆ１の相異なる出力回路４１ｆ１及び４１ｆ２が選択される。よって、図４において、出力回路群Ｆ１に対応する２つの時分割回路４２では夫々、互いに出力回路群Ｆ１の相異なる出力回路４１ｆ１及び４１ｆ２からデータ電圧Ｖｇ１及びＶｇ２が供給される。従って、出力回路群Ｆ１から見れば、その相異なる出力回路４１ｆ１及び４１ｆ２は相互に異なる時分割回路４２に電気的に接続され、相異なるデータ線群に電気的に接続される。
【００７９】
その結果、本実施形態では、出力回路群Ｆ１に属する出力回路４１ｆ１及び４１ｆ２の各々で、相異なる切換信号Ｓａ及びＳｂに基づいて切換スイッチ群４１ｈにより、周期的に相互に対応するデータ線群を入れ換え、対応するデータ線Ｘを相互に入れ換えることが可能となる。よって、切換スイッチ群４１ｈに相異なる切換信号Ｓａ及びＳｂを周期的に交互に供給することで、切換スイッチ４１ｈａ及び４１ｈｂにより、出力回路群Ｆ１における出力回路４１ｆ１及び４１ｆ２の各々で、対応するデータ線Ｘを容易に入れ換えることができる。
【００８０】
次に、切換手段４１Ｈの動作について、図７を参照して説明する。図７は、本実施形態に係る切換手段の動作を説明するためのタイミングチャートである。切換手段４１Ｈの各切換スイッチ群４１ｈは上述したように好ましくは互いに同様の構成を有し、且つ同様の動作を行う。従って、図７では、上述した一の出力回路群４１Ｆ１及びこれに隣接する他の出力回路群４１Ｆ２の各々について、これに対応する切換スイッチ群４１ｈに着目してその動作を説明する。
【００８１】
ここに、図７において、図４を参照して説明したように制御回路５に入力される水平同期信号Ｈｓに基づいて規定される１Ｈ毎に、図６に示す相隣接する出力回路群４１Ｆ１及び４１Ｆ２に対応する各切換スイッチ群４１ｈに、制御回路５から２つの切換信号Ｓａ及びＳｂが交互に供給される。
【００８２】
図７において、２つの切換信号Ｓａ及びＳｂのうち一の切換信号ＳａがＨレベルとなると、各切換スイッチ群４１ｈのうち対応する一の切換スイッチ４１ｈａが選択される。これにより、一の出力回路群４１Ｆ１に属する出力回路４１ｆ１及び４１ｆ２について、一方の出力回路４１ｆ１から出力されるデータ電圧Ｖｇ１が切換スイッチ４１ｈａを介して出力ピンＰＩＮ１から、対応する出力線ＤＯ１に出力され、他方の出力回路４１ｆ２から出力されるデータ電圧Ｖｇ２が切換スイッチ４１ｈａを介して出力ピンＰＩＮ２から、対応する出力線ＤＯ２に出力される。従って、出力線ＤＯ１及びＤＯ２から出力されたデータ電圧Ｖｇ１及びＶｇ２は夫々、時分割回路４２からデータ線群に供給され、データ電圧Ｖｇ１はデータ線Ｘ１〜Ｘ４の各々に時分割して振り分けられ、データ電圧Ｖｇ２はデータ線Ｘ５〜Ｘ８の各々に時分割して振り分けられる。
【００８３】
一方、他の出力回路群４１Ｆ２についても同様に、これに属する出力回路４１ｆ３及び４１ｆ４について、一方の出力回路４１ｆ３からデータ電圧Ｖｇ３が出力ピンＰＩＮ３から出力線ＤＯ３に出力され、他方の出力回路４１ｆ４から出力されるデータ電圧Ｖｇ４が出力ピンＰＩＮ４から出力線ＤＯ４に出力される。従って、出力線ＤＯ３及びＤＯ４から出力されたデータ電圧Ｖｇ３及びＶｇ４は夫々、データ電圧Ｖｇ１及びＶｇ２と同様に、時分割回路４２からデータ線群に供給される。
【００８４】
図７において、２つの切換信号Ｓａ及びＳｂのうち他の切換信号ＳｂがＨレベルとなると、各切換スイッチ群４１ｈのうち対応する他の切換スイッチ４１ｈｂが選択される。これにより、一の切換スイッチ４１ｈａの選択時に対して、一の出力回路群４１Ｆ１に属する出力回路４１ｆ１及び４１ｆ２の各々で、出力線ＤＯ１及びＤＯ２の各々との対応関係が入れ換わり、その結果対応するデータ線Ｘ１〜Ｘ４及びＸ５〜Ｘ８の各々との対応関係も入れ換わる。具体的に、一方の出力回路４１ｆ１から出力されるデータ電圧Ｖｇ１が切換スイッチ４１ｈｂを介して出力ピンＰＩＮ２から、対応する出力線ＤＯ２に出力され、他方の出力回路４１ｆ２から出力されるデータ電圧Ｖｇ２が切換スイッチ４１ｈｂを介して出力ピンＰＩＮ１から、対応する出力線ＤＯ１に出力される。従って、出力線ＤＯ１及びＤＯ２から出力されたデータ電圧Ｖｇ１及びＶｇ２は夫々、時分割回路４２からデータ線群に供給され、データ電圧Ｖｇ１はデータ線Ｘ５〜Ｘ８の各々に時分割して振り分けられ、データ電圧Ｖｇ２はデータ線Ｘ１〜Ｘ４の各々に時分割して振り分けられる。
【００８５】
一方、他の出力回路群４１Ｆ２についても同様に、これに属する出力回路４１ｆ３及び４１ｆ４について、一方の出力回路４１ｆ３からデータ電圧Ｖｇ３が出力ピンＰＩＮ４から出力線ＤＯ４に出力され、他方の出力回路４１ｆ４から出力されるデータ電圧Ｖｇ４が出力ピンＰＩＮ３から出力線ＤＯ３に出力される。従って、出力線ＤＯ３及びＤＯ４から出力されたデータ電圧Ｖｇ３及びＶｇ４は夫々、データ電圧Ｖｇ１及びＶｇ２と同様に、時分割回路４２からデータ線群に供給される。
【００８６】
従って、図７に示す動作によれば、切換手段４１Ｈによって、出力回路群４１Ｆ１〜４１Ｆｊの各々に属する出力回路の各々（例えば出力回路群４１Ｆ１の出力回路４１ｆ１及び４１ｆ２の各々）で１Ｈ毎に相互に対応するデータ線（例えばデータ線Ｘ１〜Ｘ４或いはＸ５〜Ｘ８）が入れ換わるように、各出力回路のデータ線への電気的接続が切り換わる。
【００８７】
ここに、図８を参照して図４に示す時分割回路４２の動作について具体的に説明する。図８は、本実施形態に係るデータ線駆動回路における時分割駆動のタイミングチャートである。
【００８８】
上述したように、図４において、ｉ個の時分割回路４２は、同様の構成を有しており、且つ、すべてが同時並行的に動作するので、以下の説明では、データ電圧Ｖｇ１又はＶｇ２が出力される出力線ＤＯ１の系統のみに着目して説明する。即ち、以下に説明する出力線ＤＯ１の系統のプロセスは、出力線ＤＯ２から出力線ＤＯｉに至るまでの各系統についても同様に並行して行われる。
【００８９】
図４において、出力線ＤＯ１に接続された最左の時分割回路４２は、対応する線群の４本のデータ線Ｘ１〜Ｘ４において、出力線ＤＯ１に出力された補正電圧Ｖａｍｄを４本のデータ線Ｘ１〜Ｘ４に対し同時に一斉に供給する。この時分割回路４２は、時系列的な４画素分が１グループとされたデータ電圧Ｖｇ１及びＶｇ２のうち供給された一方を時分割し、これにより得られた個々のデータ電圧をデータ線Ｘ１〜Ｘ４のいずれかに振り分ける。
【００９０】
具体的には、図８において、１フィールドにおける最初の１Ｈでは、走査信号ＳＥＬ１がＨレベルになって、図４に示す最上の走査線Ｙ１が選択される。この１Ｈにおいて、出力線ＤＯ１には、まず補正電圧Ｖａｍｄが出力され、これに続いて、データ線Ｘ１〜Ｘ４と走査線Ｙ１との各交差に対応する４画素分のデータ電圧Ｖｇ１又はＶｇ２として電圧Ｖ（１，１），Ｖ（２，１），Ｖ（３，１），Ｖ(４，１)が順次に出力される。
【００９１】
出力線ＤＯ１に補正電圧Ｖａｍｄが出力されている状態において、選択信号ＳＳ１〜ＳＳ４が一斉にＨレベルになって、時分割回路４２を構成する４つのスイッチは一斉にオンする。これにより、出力線ＤＯ１に出力された補正電圧Ｖａｍｄがデータ線Ｘ１〜Ｘ４に同時に一斉供給される。
【００９２】
次に、出力線ＤＯ１にＶ（１，１）が出力されている状態では、選択信号ＳＳ１のみがＨレベルになって、時分割回路４２を構成するスイッチのうち、データ線Ｘ１に対応するスイッチのみがオンする。これにより、出力線ＤＯ１に出力されたデータ電圧Ｖ（１，１）がデータ線Ｘ１に供給され、このデータ電圧Ｖ（１，１）に応じて、画素（１，１）に対するデータの書き込みが行われる。出力線ＤＯ１にデータ電圧Ｖ（１，１）が出力されている間は、データ線Ｘ２，Ｘ３，Ｘ４に対応するスイッチはオフのままなので、データ線Ｘ２，Ｘ３，Ｘ４上の電圧は、補正電圧Ｖａｍｄに維持される（正確には、電圧レベルはリークによって経時的に減少していく）。
【００９３】
続いて、出力線ＤＯ１にデータ電圧Ｖ（２，１）が出力されている状態では、選択信号ＳＳ２のみがＨレベルになって、時分割回路４２におけるデータ線Ｘ２に対応するスイッチのみがオンする。これにより、データ電圧Ｖ（２，１）に基づいて、データ線Ｘ２を介して画素（２，１）に対するデータの書き込みが行われる。上述したデータ電圧Ｖ（１，１）の出力の状態と同様に、この際、データ線Ｘ１はデータ電圧Ｖ（１，１）、データ線Ｘ３及びＸ４は補正電圧Ｖａｍｄにそれぞれ維持される。
【００９４】
同様に、出力線ＤＯ１にデータ電圧Ｖ（３，１）が出力されている状態では、選択信号ＳＳ３のみがＨレベルになって、時分割回路４２におけるデータ線Ｘ３に対応するスイッチのみがオンする。これにより、データ電圧Ｖ（３，１）に基づいてデータ線Ｘ３を介して、画素（３，１）に対するデータの書き込みが行われる。この際、データ線Ｘ１はデータ電圧Ｖ（１，１）、データ線Ｘ２はデータ電圧Ｖ（２，１）、データ線Ｘ４は補正電圧Ｖａｍｄにそれぞれ維持される。
【００９５】
最後に、出力線ＤＯ１にデータ電圧Ｖ（４，１）が出力されている状態では、選択信号ＳＳ４のみがＨレベルになって、時分割回路４２を構成するスイッチのうち、データ線Ｘ４に対応するスイッチのみがオンする。これにより、データ電圧Ｖ（４，１）に基づいてデータ線Ｘ４を介して、画素（４，１）に対するデータの書き込みが行われる。この際、データ線Ｘ１はデータ電圧Ｖ（１，１）、データ線Ｘ２はデータ電圧Ｖ（２，１）、データ線Ｘ３はデータ電圧Ｖ（３，１）にそれぞれ維持される。
【００９６】
次の１Ｈでは、走査信号ＳＥＬ２がＨレベルになって、上から２番目の走査線Ｙ２が選択される。この１Ｈにおいて、出力線ＤＯ１には、まず補正電圧Ｖａｍｄが出力され、これに続いて、データ電圧Ｖｇ１及びＶｇ２のうち供給された他方として、データ線Ｘ１〜Ｘ４と走査線Ｙ２との各交差に対応する４画素分のデータ電圧Ｖ（１，２），Ｖ（２，２），Ｖ（３，２），Ｖ（４，２）が順次出力される。この１Ｈにおけるプロセスは、出力線ＤＯ１に出力される電圧の極性が反転している点を除けば、先の１Ｈと同様であり、補正電圧Ｖａｍｄの供給と、時系列的なデータ電圧Ｖ（１，２），Ｖ（２，２），Ｖ（３，２）の振り分けとが行われる。これ以降についても同様であり、最下の走査線Ｙｎが選択されるまで、１Ｈ毎に極性反転を行いながら、それぞれの画素行に対する補正電圧Ｖａｍｄの供給と、これに続くデータ電圧の振り分けとが線順次的に行われていく。尚、図４において、出力線ＤＯ１に出力される電圧の極性が１Ｈ期間ごとに反転した例で示してあるが、１フィールドごとに極性反転する場合や１フレームごとに極性反転する場合も同様に動作する。
【００９７】
従って、以上説明した本実施形態において、図６又は図７を参照して説明した切換手段４１Ｈによれば、１Ｈ毎に周期的に、各出力回路群４１Ｆ１〜４１Ｆｊに属する出力回路の各々で、例えば一の出力回路群４１Ｆ１においては相異なる出力回路４１ｆ１及び４１ｆ２で相互に対応するデータ線Ｘを入れ換えて、各出力回路（例えば出力回路４１ｆ及び４１ｆ２）の各々の出力（データ電圧Ｖｇ１及びＶｇ２）を、対応する各データ線群毎に、データ線の各々（データ線Ｘ１〜Ｘ８の各々）に分散させることができる。
【００９８】
その結果、例えば、データ線Ｘ１〜Ｘ８の各々に対応する画素部２に、出力回路群４１Ｆ１における出力回路４１ｆ及び４１ｆ２の出力（データ電圧Ｖｇ１及びＶｇ２）の各々が分散されることとなる。図７に示す切換手段４１Ｈの動作によれば、出力回路群４１Ｆ１に対応するデータ線Ｘ１〜Ｘ８の各々では、データ線群毎に出力回路４１ｆ及び４１ｆ２の各々との対応関係が１Ｈ毎に入れ換わり、これらデータ線Ｘ１〜Ｘ８に対応する画素列の各々では、各画素部２に出力回路群４１Ｆ１における出力回路４１ｆ及び４１ｆ２の各出力（データ電圧Ｖｇ１及びＶｇ２）が分散される。尚、他の出力回路群４１Ｆ２〜４１Ｆｊについても、出力回路群４１Ｆ１と同様に、各出力回路の出力を画素部２に分散させることができる。
【００９９】
よって、本実施形態では、各出力回路群４１Ｆ１〜４１Ｆｊ（例えば、出力回路群４１Ｆ１）における各出力回路（例えば出力回路４１ｆ及び４１ｆ２の各々）から出力されるデータ電圧のバラツキに起因して、データ線Ｘの延在方向に沿ってライン状の表示ムラが、表示画面上で顕著に視認されるのを抑制することができる。従って、電気光学装置においてデータ電圧のバラツキによる表示ムラを低減することが可能となり、高品質な画像を表示することが可能である。
【０１００】
また、上述した図７においては、１Ｈ毎に制御回路５から２つの切換信号Ｓａ及びＳｂが交互に供給される場合について説明したが、本実施形態はこれに限られるものではなく、２つの切換信号Ｓａ及びＳｂが例えば１フレーム毎に交互に供給されるようにしてもよい。この場合には、切換手段４１Ｈの各切換スイッチ群４１ｈにより切換信号Ｓａ及びＳｂに基づいて、出力回路群４１Ｆ１〜４１Ｆｊの各々に属する出力回路の各々（例えば出力回路群４１Ｆ１の出力回路４１ｆ１及び４１ｆ２の各々）で１フレーム期間毎に相互に対応するデータ線（例えばデータ線Ｘ１〜Ｘ４若しくはＸ５〜Ｘ８）が入れ換わるように、各出力回路のデータ線への電気的接続が切り換わる。
【０１０１】
従って、各出力回路群４１Ｆ１〜４１Ｆｊ（例えば出力回路群４１Ｆ１）について、対応するデータ線群では夫々、これに属する出力回路（例えば出力回路４１ｆ１及び４１ｆ２）の各々との対応関係が１フレーム期間毎に入れ換わり、データ線群に属するデータ線（例えばデータ線Ｘ１〜Ｘ４若しくはＸ５〜Ｘ８）に対応する画素列の画素列の各々に、各々の出力回路（例えば出力回路４１ｆ１及び４１ｆ２の各々）の出力（例えばデータ電圧Ｖｇ１及びＶｇ２）が分散される。従って、この場合においても、各出力回路群４１Ｆ１〜４１Ｆｊ（例えば出力回路群４１Ｆ１）における各出力回路（例えば各出力回路４１ｆ１及び４１ｆ２）のデータ電圧のバラツキに起因してライン状の表示ムラが、表示画面上で顕著に視認されるのを抑制することができる。
【０１０２】
尚、上述した第１実施形態では、互いに隣り合う２つの出力回路４１ｆを一群とする出力回路群４１Ｆ毎に、該出力回路群４１Ｆに属する２つの出力回路４１ｆについてデータ線Ｘへの電気的接続が１Ｈを周期として交互に切り換わるように構成したが、電気的接続を切り換える周期は、１Ｈに限られず、２Ｈ、３Ｈ、４Ｈ等、１水平走査期間の整数倍の期間としてもよいし、２フレーム期間、３フレーム期間、４フレーム期間等、１フレーム期間の整数倍の期間としてもよい。また、出力回路群４１Ｆは、互いに隣り合う２つの出力回路４１fから構成されるものに限定されず、例えば、データ線Ｘに対応して配列された複数の出力回路４１ｆのうち、１つおき或いは２つおきなど、互いに離れた（即ち、間に他の出力回路群４１Ｆに属する出力回路４１ｆが配置された）２つの出力回路４１ｆから構成されるようにしてもよい。更に、出力回路群４１Ｆは、２つの出力回路４１ｆから構成されるものに限定されず、３つ以上の出力回路４１ｆから構成されるようにしてもよい。この場合には、３つ以上の出力回路４１ｆと対応する３本以上のデータ線Ｘとの間の電気的接続を周期的に切り換えられるので、出力回路４１ｆから出力されるデータ電圧のバラツキによる表示ムラをより一層低減することができる。
【０１０３】
＜第２実施形態＞
次に、本発明の第２実施形態について、図９から図１１を参照して説明する。第２実施形態については、第１実施形態と異なる点を中心に図を参照して説明し、第１実施形態と同様の構成については、図９から図１１において同一の符号を付して示し、重複する説明を省略することもある。
【０１０４】
図９には、第２実施形態に係る外部回路の構成を概略的に示してあり、図１０には、第２実施形態に係る電気光学パネルの具体的構成を示す回路図である。第２実施形態では、図１０に示す構成を有する電気光学パネルと、電気光学パネル外に設けられる図９に示す外部回路と含む。尚、図１０における外部回路の少なくとも一部（例えば切換手段４１Ｈ若しくは出力回路４１ｆ１〜４１ｆ４）は、電気光学パネル内に作り込まれるようにしてもよい。
【０１０５】
図９において、制御回路５は、垂直同期信号Ｖｓ、水平同期信号Ｈｓ、ドットクロック信号ＤＣＬＫ等の外部信号に基づいて、フレームメモリ６、及び図１０に示す内蔵回路である走査線駆動回路１０４やデータ線駆動回路１０１を同期制御する。制御回路５は、フレームメモリ６に格納・保持された表示データについて、データの書き込み及び読み出しを行う。制御回路５は、読み出した表示データＤを例えば４相にシリアル−パラレル展開（即ち、相展開）し、データ電圧Ｖｄ１〜Ｖｄ４を生成する。
【０１０６】
データ電圧Ｖｄ１〜Ｖｄ４の各々は４つの出力回路４１ｆ１〜４１ｆ４により増幅され、切換手段４１Ｈを介して出力ピンＰＩＮ１〜ＰＩＮ４から出力される。
【０１０７】
図１０において、電気光学パネル内においてデータ線駆動回路１０１及び走査線駆動回路１０４は、互いに協働して画像表示領域１０ａにおけるｍドット×ｎライン分の画素部２について、アクティブマトリクス駆動を行う。即ち、各走査線Ｙ１〜Ｙｎは走査線駆動回路１０４によって順次に選択され、データ線駆動回路１０１はこれに同期して、選択された走査線Ｙに対応する画素行にデータ線Ｘ１〜Ｘｍを介してデータが供給されるように信号の生成を行う。尚、第２実施形態では、データ線駆動回路１０１は図１又は図２に示す電気光学パネルにおいて、典型的には例えば時分割回路４２に代えて、サンプリング回路１０７と共にＴＦＴアレイ基板１０上に配置される。
【０１０８】
図１０において、図９に示す外部回路の出力ピンＰＩＮ１〜ＰＩＮ４は、電気光学パネルにおいて例えばＴＦＴアレイ基板１０上に配線された４本の画像信号線Ｖｉ１〜Ｖｉ４に電気的に接続される。尚、より詳細には、例えば出力ピンＰＩＮ１〜ＰＩＮ４はＴＦＴアレイ基板１０上の外部回路接続端子１０２を介して４本の画像信号線Ｖｉ１〜Ｖｉ４に電気的に接続されるが、この構成については図示を省略する。
【０１０９】
データ線駆動回路１０１からは、サンプリング回路駆動信号Ｓ１〜Ｓｉが順次に出力される。サンプリング回路１０７は、画像信号線Ｖｉ１〜Ｖｉ４に供給されるデータ電圧Ｖｄ１〜Ｖｄ４を、サンプリング回路駆動信号Ｓ１〜Ｓｉに応じてサンプリングし、データ線Ｘに供給する。サンプリング回路１０７は、例えば図１０に示すように、Ｐチャネル型又はＮチャネル型の片チャネル型ＴＦＴ若しくは相補型のＴＦＴから構成されたサンプリングスイッチ７１からなる。
【０１１０】
サンプリング回路１０７において各サンプリングスイッチ７１は画像信号線Ｖｉ１〜Ｖｉ４に対応して４つを一群とし、一群に属する各サンプリングスイッチ７１は一斉に同一のサンプリング信号Ｓに応じてデータ電圧Ｖｄ１〜Ｖｄ４をサンプリングして、対応するデータ線Ｘに供給する。従って、各データ線Ｘ１〜Ｘｍは４本を一群とするデータ線群毎に駆動され、書き込み対象となる画素行にデータが書き込まれることとなる。
【０１１１】
即ち、画像信号線Ｖｉ１〜Ｖｉ４の各々は、サンプリング回路１０７のサンプリングスイッチ７１を介して、各データ線群に属するデータ線Ｘのいずれかに電気的に接続される。従って、画像信号線Ｖｉ１〜Ｖｉ４に供給されるデータ電圧Ｖｄ１〜Ｖｄ４の各々は、各データ線群のうち対応するデータ線Ｘのデータを１グループとする時系列的な電圧である。サンプリング回路１０７では、画像信号線Ｖｉ１〜Ｖｉ４から供給されるデータ電圧Ｖｄ１〜Ｖｄ４の各々は時分割されて、各データ線群に振り分けられる。
【０１１２】
次に、図９及び図１０に加えて、図１１を参照して外部回路における切換手段４１Ｈについて説明する。
【０１１３】
図９において、切換手段４１Ｈの構成は、第１実施形態と同様であるが、一の出力回路群４１Ｆ１に着目すれば、これに対応する切換スイッチ群４１ｈの各々は、対応する出力ピンＰＩＮ１又はＰＩＮ２を介して、図１０における画像信号線Ｖｉ１又はＶｉ２に電気的に接続される。各切換スイッチ群４１ｈでは、２つの切換信号Ｓａ及びＳｂのいずれかに応じて、相異なる切換スイッチ４１ｈａ及び４１ｈｂが周期的に選択され、出力ピンＰＩＮ１又はＰＩＮ２を介して、画像信号線Ｖｉ１又はＶｉ２に電気的に接続される。従って、出力回路群４１Ｆ１から、これに対応する２本の画像信号線Ｖｉ１及びＶｉ２には夫々相異なる出力回路４１ｆ１及び４１ｆ２から周期的に交互にデータ電圧Ｖｄ１及びＶｄ２が供給される。よって、各データ線群において、２本の画像信号線Ｖｉ１及びＶｉ２に対応するデータ線（例えばデータ線Ｘ１及びＸ２、或いはデータ線Ｘ５及びＸ６）の各々に対して、出力回路群Ｆ１における相異なる出力回路４１ｆ１及び４１ｆ２から周期的に交互に出力されたデータ電圧Ｖｄ１及びＶｄ２が供給される。
【０１１４】
一方、図９において、出力回路群Ｆ１に対応する切換スイッチ群４１ｈでは夫々互いに、一の切換信号Ｓａ又はＳｂに応じて出力回路群Ｆ１の相異なる出力回路４１ｆ１及び４１ｆ２が選択される。よって、図１０において、出力回路群Ｆ１に対応する２本の画像信号線Ｖｉ１及びＶｉ２では夫々、互いに出力回路群Ｆ１の相異なる出力回路４１ｆ１及び４１ｆ２からデータ電圧Ｖｄ１及びＶｄ２が供給される。従って、出力回路群Ｆ１から見れば、その相異なる出力回路４１ｆ１及び４１ｆ２は相互に異なる画像信号線Ｖｉ１及びＶｉ２に電気的に接続され、各データ線群において相異なるデータ線（例えばデータ線Ｘ１及びＸ２、或いはデータ線Ｘ５及びＸ６）に電気的に接続される。
【０１１５】
その結果、本実施形態では、出力回路群Ｆ１に属する出力回路４１ｆ１及び４１ｆ２の各々で、相異なる切換信号Ｓａ及びＳｂに基づいて切換スイッチ群４１ｈにより、周期的に相互に各データ線群のうち対応するデータ線（例えばデータ線Ｘ１及びＸ２、或いはデータ線Ｘ５及びＸ６）を入れ換えることが可能となる。よって、切換スイッチ群４１ｈに相異なる切換信号Ｓａ及びＳｂを周期的に交互に供給することで、切換スイッチ４１ｈａ及び４１ｈｂにより、出力回路群Ｆ１における出力回路４１ｆ１及び４１ｆ２の各々で、対応するデータ線Ｘを容易に入れ換えることができる。
【０１１６】
次に、切換手段４１Ｈの動作について、図１１を参照して説明する。図１１は、第２実施形態に係る切換手段の動作を説明するためのタイミングチャートである。図１１では、上述した一の出力回路群４１Ｆ１及びこれに隣接する他の出力回路群４１Ｆ２の各々について、これに対応する切換スイッチ群４１ｈに着目してその動作を説明する。
【０１１７】
図１１において、１Ｈ毎に、図９に示す相隣接する出力回路群４１Ｆ１及び４１Ｆ２に対応する各切換スイッチ群４１ｈに、制御回路５から２つの切換信号Ｓａ及びＳｂが交互に供給される。２つの切換信号Ｓａ及びＳｂのうち一の一の切換信号ＳａがＨレベルとなると、各切換スイッチ群４１ｈのうち対応する一の切換スイッチ４１ｈａが選択される。これにより、一の出力回路群４１Ｆ１において、一方の出力回路４１ｆ１からデータ電圧Ｖｄ１が画像信号線Ｖｉ１に出力され、他方の出力回路４１ｆ２からデータ電圧Ｖｄ２が画像信号線Ｖｉ２に出力される。また、他の出力回路群４１Ｆ２についても同様に、一方の出力回路４１ｆ３からデータ電圧Ｖｄ３が画像信号線Ｖｉ３に出力され、他方の出力回路４１ｆ４からデータ電圧Ｖｄ４が画像信号線Ｖｉ４に出力される。
【０１１８】
図１０において、画像信号線Ｖｉ１〜Ｖｉ４から出力されたデータ電圧Ｖｄ１〜Ｖｄ４は夫々、サンプリング回路１０７から各データ線群に振り分けられ、データ線群に属するデータ線（例えばデータ線Ｘ１〜Ｘ４、或いはデータ線Ｘ５〜Ｘ８）に一斉供給される。この際、画像信号線Ｖｉ１に出力されたデータ電圧Ｖｄ１は、各データ線群における１本目のデータ線（例えばデータ線Ｘ１或いはデータ線Ｘ５）、画像信号線Ｖｉ２に出力されたデータ電圧Ｖｄ２は、各データ線群における２本目のデータ線（例えばデータ線Ｘ２或いはデータ線Ｘ６）、画像信号線Ｖｉ３に出力されたデータ電圧Ｖｄ３は、各データ線群における３本目のデータ線（例えばデータ線Ｘ３或いはデータ線Ｘ７）、画像信号線Ｖｉ４に出力されたデータ電圧Ｖｄ４は、各データ線群における４本目のデータ線（例えばデータ線Ｘ４或いはデータ線Ｘ８）に供給される。
【０１１９】
図１１において、２つの切換信号Ｓａ及びＳｂのうち他の切換信号ＳｂがＨレベルとなると、各切換スイッチ群４１ｈのうち対応する他の切換スイッチ４１ｈｂが選択される。これにより、一の切換スイッチ４１ｈａの選択時に対して、一の出力回路群４１Ｆ１に属する出力回路４１ｆ１及び４１ｆ２の各々で、画像信号線Ｖｉ１及びＶｉ２の各々との対応関係が入れ換わり、その結果データ線Ｘのとの対応関係も入れ換わる。具体的に、一方の出力回路４１ｆ１からデータ電圧Ｖｄ１が画像信号線Ｖｉ２に出力され、他方の出力回路４１ｆ２からデータ電圧Ｖｄ２が画像信号線Ｖｉ１に出力される。
【０１２０】
また、他の出力回路群４１Ｆ２についても同様に、一方の出力回路４１ｆ３からデータ電圧Ｖｄ３が画像信号線Ｖｉ４に出力され、他方の出力回路４１ｆ４からデータ電圧Ｖｄ４が画像信号線Ｖｉ３に出力される。
【０１２１】
この場合、画像信号線Ｖｉ１〜Ｖｉ４からサンプリング回路１０７を介して各データ線群に振り分けられたデータ電圧Ｖｄ１〜Ｖｄ４について、データ電圧Ｖｄ１は、画像信号線Ｖｉ２から各データ線群における２本目のデータ線（例えばデータ線Ｘ２或いはデータ線Ｘ６）、データ電圧Ｖｄ２は、画像信号線Ｖｉ１から各データ線群における１本目のデータ線（例えばデータ線Ｘ１或いはデータ線Ｘ５）、データ電圧Ｖｄ３は、画像信号線Ｖｉ４から各データ線群における４本目のデータ線（例えばデータ線Ｘ４或いはデータ線Ｘ８）、データ電圧Ｖｄ４は、画像信号線Ｖｉ３から各データ線群における３本目のデータ線（例えばデータ線Ｘ３或いはデータ線Ｘ７）の各々に供給される。
【０１２２】
従って、図９に示す切換手段４１Ｈによれば、１Ｈ毎に周期的に、各出力回路群４１Ｆ１及び４１Ｆ２に属する出力回路４１ｆ１〜４１ｆ４の各々で、相異なる出力回路４１ｆ１及び４１ｆ２、或いは４１ｆ３及び４１ｆ４で、各データ線群における対応するデータ線Ｘ１及びＸ２、或いはＸ３及びＸ４を相互に入れ換えて、各出力回路４１ｆ１及び４１ｆ２、或いは４１ｆ３及び４１ｆ４の出力（データ電圧Ｖｄ１及びＶｄ２、或いはＶｄ３及びＶｄ４）を、各データ線群における対応するデータ線Ｘ１及びＸ２、或いはＸ３及びＸ４に分散させることができる。
【０１２３】
よって、以上説明したような第２実施形態においても、第１実施形態と同様に、電気光学装置においてデータ電圧のバラツキによる表示ムラを低減することが可能となる。
【０１２４】
＜電子機器＞
次に、上述した電気光学装置である液晶装置を各種の電子機器に適用する場合について説明する。ここに図１２は、プロジェクタの構成例を示す平面図である。以下では、この液晶装置をライトバルブとして用いたプロジェクタについて説明する。
【０１２５】
図１２に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【０１２６】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【０１２７】
尚、図１２を参照して説明した電子機器の他にも、モバイル型のパーソナルコンピュータや、携帯電話、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１２８】
また、本発明は上述の各実施形態で説明した液晶装置以外にも反射型液晶装置（ＬＣＯＳ）等にも適用可能である。
【０１２９】
本発明は、上述した実施形態に限られるものではなく、請求の範囲及び明細書全体から読み取れる発明の要旨或いは思想に反しない範囲で適宜変更可能であり、そのような変更を伴う電気光学装置及びその駆動方法、電気光学装置用駆動回路並びに電子機器もまた本発明の技術的範囲に含まれるものである。
【図面の簡単な説明】
【０１３０】
【図１】電気光学パネルの概略的な平面図である。
【図２】図１のＨ−Ｈ’線断面図である。
【図３】電気光学装置の全体構成を概略的に示す斜視図である。
【図４】第１実施形態に係る電気光学装置の具体的構成を示す回路図である。
【図５】画素部の構成を示す回路図である。
【図６】ドライバＩＣの構成を示すブロック図である。
【図７】第１実施形態に係る切換手段の動作を説明するためのタイミングチャートである。
【図８】第１実施形態に係るデータ線駆動回路における時分割駆動のタイミングチャートである。
【図９】第２実施形態に係る外部回路の構成を概略的に示す図である。
【図１０】第２実施形態に係る電気光学パネルの具体的構成を示す回路図である。
【図１１】第２実施形態に係る切換手段の動作を説明するためのタイミングチャートである。
【図１２】液晶装置を適用した電子機器の一例たるプロジェクタの構成を示す平面図である。
【符号の説明】
【０１３１】
Ｘ…データ線、２…画素部、１０…ＴＦＴアレイ基板、１０ａ…画像表示領域、４１Ｈ…切替手段、４１ｆ…出力回路、４１Ｆ…出力回路群
【図１】
2009192893.tif 000003
【図２】
2009192893.tif 000004
【図３】
2009192893.tif 000005
【図４】
2009192893.tif 000006
【図５】
2009192893.tif 000007
【図６】
2009192893.tif 000008
【図７】
2009192893.tif 000009
【図８】
2009192893.tif 000010
【図９】
2009192893.tif 000011
【図１０】
2009192893.tif 000012
【図１１】
2009192893.tif 000013
【図１２】
2009192893.tif 000014